(57)【要約】【課題】  隣接妨害信号に起因するスプリアスの影響等を低減して、受信信号に混入しているパルスノイズをより確実に除去するノイズ除去装置を提供する。【解決手段】  ノイズ除去装置１は、受信信号Ｓ１に混入したパルスノイズを検出すると共に、パルスノイズの発生期間τを検出するノイズ検出部２と、受信信号Ｓ１に重畳している隣接妨害信号を検出すると共に、隣接妨害信号の周波数と希望信号の周波数との離調周波数ΔＦを検出する離調周波数検出部４と、離調周波数ΔＦの逆数の周期（１／ΔＦ）の整数倍であって、パルスノイズの発生期間τに近似する期間をゲート期間τsとして演算するゲート制御部５と、ゲート期間τsの間、受信信号Ｓ１に混入したパルスノイズを遮断することにより、パルスノイズを除去した受信信号Ｓ２を出力するゲート部２とを備えて構成する。【選択図】  図１
2005204037.tif 000002
【特許請求の範囲】
【請求項１】
受信信号に混入したパルスノイズを除去するノイズ除去装置であって、
前記受信信号に混入したパルスノイズを検出すると共に、パルスノイズの発生期間を検出するノイズ検出手段と、
前記受信信号に重畳している隣接妨害信号を検出すると共に、該隣接妨害信号の周波数と希望信号の周波数との差である離調周波数を検出する離調周波数検出手段と、
前記離調周波数の逆数の周期の整数倍であって、前記パルスノイズの発生期間に近似する期間をゲート期間として演算するゲート制御手段と、
前記ゲート期間の間、前記受信信号に混入したパルスノイズを遮断することにより、パルスノイズを除去した受信信号を出力するゲート手段と、を備えることを特徴とするノイズ除去装置。
【請求項２】
前記離調周波数検出手段は、
前記希望信号の周波数と同じ周波数の交番信号を出力する発振器と、
前記交番信号と前記受信信号とを混合することにより、前記離調周波数を検出する掛け算器と、を有することを特徴とする請求項１に記載のノイズ除去装置。
【請求項３】
前記離調周波数検出手段は、
前記掛け算器から出力される前記交番信号と前記受信信号との混合信号に基づいて、隣接妨害信号の前記受信信号への重畳の有無を検知する検知手段と、
前記検知手段が隣接妨害信号の重畳有りと検知すると、ゲート制御手段に、前記離調周波数の逆数の周期の整数倍であって、前記パルスノイズの発生期間に近似する期間をゲート期間として演算させ、前記検知手段が隣接妨害信号の重畳無しと検知すると、前記ゲート制御手段に、前記希望信号の周波数と同じ周波数の逆数の周期の整数倍であって、前記パルスノイズの発生期間に近似する期間をゲート期間として演算させる切替え手段と、を備えることを特徴とする請求項２に記載のノイズ除去装置。
【請求項４】
前記検知手段は、
前記混合信号をＡＭ検波するＡＭ検波器と、
前記ＡＭ検波器から出力される信号の振幅に基づいて、前記隣接妨害信号の前記受信信号への重畳の有無を検知する比較器と、を有することを特徴とする請求項３に記載のノイズ除去装置。
【請求項５】
ＲＦ信号に混入したパルスノイズを除去するノイズ除去装置であって、
前記ＲＦ信号に混入したパルスノイズを検出すると共に、パルスノイズの発生期間を検出するノイズ検出手段と、
前記ＲＦ信号に重畳している隣接妨害信号を検出すると共に、該隣接妨害信号の周波数と希望信号の周波数との差である離調周波数を検出する離調周波数検出手段と、
前記離調周波数の逆数の周期の整数倍であって、前記パルスノイズの発生期間に近似する期間をゲート期間として演算するゲート制御手段と、
前記ゲート期間の間、局発信号と前記ＲＦ信号との混合を行うＲＦ掛け算器への前記局発信号の供給を停止するゲート手段と、を備えることを特徴とするノイズ除去装置。
【請求項６】
前記離調周波数検出手段は、
中間周波数と同じ周波数の信号と前記局発信号とを混合する第１の掛け算器と、
前記ＲＦ信号と前記第１の掛け算器の出力とを混合することにより、前記ＲＦ信号に重畳した前記隣接妨害信号の周波数と前記希望信号の周波数との前記離調周波数を検出する第２の掛け算器と、を備えることを特徴とする請求項５に記載のノイズ除去装置。
【発明の詳細な説明】
【技術分野】
【０００１】
本発明は、受信機内で処理される信号に混入したノイズを除去するノイズ除去装置に関する。
【背景技術】
【０００２】
一般に、受信機においては、ノイズを除去した受信信号に基づいて信号処理を行うことが技術的に重要である。
【０００３】
具体的事例を述べると、自動車に搭載される車載型のラジオ受信機にあっては、中間周波信号（ＩＦ信号）に混入したイグニッションノイズ等のパルスノイズを除去するノイズ除去装置が設けられ、ノイズを低減したＩＦ信号に基づいて信号処理を行っている（特許文献を参照）。
【０００４】
図７は、この特許文献の図１に示されているノイズ除去装置を受信機に適用した場合の概略構成を表したブロック図、図８は、該ノイズ除去装置の動作を説明するための波形図である。
【０００５】
図７において、ノイズ除去装置は、チューナの出力に接続されたゲート回路とノイズ検出回路とを備えて構成されている。
【０００６】
図８（ａ）に例示するようなパルスノイズの混入したＩＦ信号ＳIF1がノイズ検出回路に入力すると、ノイズ検出回路はパルスノイズの発生期間τを検出し、同図（ｂ）に示すような矩形波状のゲート制御信号ＧＴを出力する。次に、ゲート回路が、ゲート制御信号ＧＴに従って発生期間τの間、ＩＦ信号ＳIF1に混入しているパルスノイズの通過を遮断することにより、パルスノイズを除去したＩＦ信号ＳIF2を出力し、ＩＦフィルタに供給する。
【０００７】
そして、ＩＦ信号ＳIF2が所定の通過帯域を有するＩＦフィルタを通過する際、希望信号ＳIF3が抽出されて検波器に供給され、検波器で検波された検波信号が復調回路等へ出力される。
【０００８】
【特許文献１】特開平０６−１１２８５３号公報
【発明の開示】
【発明が解決しようとする課題】
【０００９】
ところで、上記特許文献に開示されている従来のノイズ除去装置は、パルスノイズの発生期間τにおいて、ゲート制御信号ＧＴに基づいてＩＦ信号ＳIF1に含まれているパルスノイズを遮断するので、その遮断特性によって変調されたＩＦ信号ＳIF2が出力される。
【００１０】
すなわち、パルスノイズが混入していないＩＦ信号ＳIF1の周波数スペクトルをＡ(f)、上述の遮断特性の周波数スペクトルをＢ(f)、ノイズ除去装置から出力されるパルスノイズの除去されたＩＦ信号ＳIF2の周波数スペクトルをＣ（ｆ）で夫々表すものとすると、ＩＦ信号ＳIF2の周波数スペクトルＣ（ｆ）は、周波数スペクトルＡ(f)と同じとなるのが理想的であるが、実際には、周波数スペクトルＡ(f）とＢ(f)との積で表される周波数スペクトルＡ(f）Ｂ(f)となり、ＩＦ信号ＳIF2中に遮断特性の影響による高調波歪み等が発生する。
【００１１】
また、チューナから出力されるＩＦ信号ＳIF1に隣接妨害信号が重畳し且つパルスノイズが混入した場合、ゲート回路がパルスノイズを遮断する際、上述の遮断特性によって変調された隣接妨害信号がスプリアスとなってＩＦ信号ＳIF2に現れる。
【００１２】
例えば、希望信号の周波数（別言すれば、中間周波数）Ｆdに対して、周波数ΔＦだけ離れた周波数Ｆuの隣接妨害信号がＩＦ信号ＳIF1に重畳した場合、ＩＦ信号ＳIF1の周波数スペクトルは、図８（ｅ）のようになり、上述の遮断特性の周波数スペクトルは、同図（ｆ）に示すようにゲート制御信号ＧＴの時間幅τと周期Ｔとをパラメータとして変化する周波数スペクトルとなる。
【００１３】
このことから、ゲート回路から出力されるＩＦ信号ＳIF2の周波数スペクトルは、図８（ｅ）に示した隣接妨害信号が重畳したＩＦ信号ＳIF1の周波数スペクトルと、図８（ｆ）に示した遮断特性の周波数スペクトルとの積で表される周波数スペクトルとなり、同図（ｇ）のようになる。
【００１４】
そして、同図（ｇ）に示すように、希望信号の周波数スペクトルと隣接妨害信号に起因するスプリアスの周波数スペクトルが、周波数Ｆdにおいて重なり合ってしまうことから、通過帯域が中間周波数Ｆdに合わせられているＩＦフィルタに、パルスノイズを除去したＩＦ信号ＳIF2を通しても、スプリアスの混入した希望信号が抽出されていまい、ＩＦフィルタにおける希望信号の選択度が悪化するという問題がある。
【００１５】
本発明はこのような従来の問題点に鑑みてなされたものであり、例えば隣接妨害信号に起因するスプリアスの影響等を低減して、受信信号に混入しているパルスノイズをより確実に除去するノイズ除去装置を提供することを目的とする。
【課題を解決するための手段】
【００１６】
請求項１に記載の発明は、受信信号に混入したパルスノイズを除去するノイズ除去装置であって、前記受信信号に混入したパルスノイズを検出すると共に、パルスノイズの発生期間を検出するノイズ検出手段と、前記受信信号に重畳している隣接妨害信号を検出すると共に、該隣接妨害信号の周波数と希望信号の周波数との離調周波数を検出する離調周波数検出手段と、前記離調周波数の逆数の周期の整数倍であって、前記パルスノイズの発生期間に近似する期間をゲート期間として演算するゲート制御手段と、前記ゲート期間の間、前記受信信号に混入したパルスノイズを遮断することにより、パルスノイズを除去した受信信号を出力するゲート手段と、を備えることを特徴とする。
【００１７】
請求項２に記載の発明は、請求項１に記載のノイズ除去装置において、前記離調周波数検出手段は、前記希望信号の周波数と同じ周波数の交番信号を出力する発振器と、前記交番信号と前記受信信号とを混合することにより、前記離調周波数を検出するミキサと、を有することを特徴とする。
【００１８】
請求項３に記載の発明は、請求項２に記載のノイズ除去装置において、前記離調周波数検出手段は、前記掛け算器から出力される前記交番信号と前記受信信号との混合信号に基づいて、隣接妨害信号の前記受信信号への重畳の有無を検知する検知手段と、前記検知手段が隣接妨害信号の重畳有りと検知すると、ゲート制御手段に、前記離調周波数の逆数の周期の整数倍であって、前記パルスノイズの発生期間に近似する期間をゲート期間として演算させ、前記検知手段が隣接妨害信号の重畳無しと検知すると、前記ゲート制御手段に、前記希望信号の周波数と同じ周波数の逆数の周期の整数倍であって、前記パルスノイズの発生期間に近似する期間をゲート期間として演算させる切替え手段と、を備えることを特徴とする。
【００１９】
請求項４に記載の発明は、請求項３に記載のノイズ除去装置において、検知手段は、前記混合信号をＡＭ検波するＡＭ検波器と、前記ＡＭ検波器から出力される信号の振幅に基づいて、前記隣接妨害信号の前記受信信号への重畳の有無を検知する比較器と、を有することを特徴とする。
【００２０】
請求項５に記載の発明は、ＲＦ信号に混入したパルスノイズを除去するノイズ除去装置であって、前記ＲＦ信号に混入したパルスノイズを検出すると共に、パルスノイズの発生期間を検出するノイズ検出手段と、前記ＲＦ信号に重畳している隣接妨害信号を検出すると共に、該隣接妨害信号の周波数と希望信号の周波数との離調周波数を検出する離調周波数検出手段と、前記離調周波数の逆数の周期の整数倍であって、前記パルスノイズの発生期間に近似する期間をゲート期間として演算するゲート制御手段と、前記ゲート期間の間、局発信号と前記ＲＦ信号との混合を行うＲＦ掛け算器への前記局発信号の供給を停止するゲート手段と、を備えることを特徴とする。
【００２１】
請求項６に記載の発明は、請求項５に記載のノイズ除去装置において、前記離調周波数検出手段は、中間周波数と同じ周波数の信号と前記局発信号とを混合する第１の掛け算器と、前記ＲＦ信号と前記第１の掛け算器の出力とを混合することにより、前記ＲＦ信号に重畳した前記隣接妨害信号の周波数と前記希望信号の周波数との前記離調周波数を検出する第２の掛け算器と、を備えることを特徴とする。
【発明を実施するための最良の形態】
【００２２】
本発明の好適な実施の形態として、車載型のラジオ受信機等に設けられるノイズ除去装置について、図１を参照して説明する。
【００２３】
図１（ａ）は、本実施形態のノイズ除去装置の構成を表したブロック図、図１（ｂ）〜（ｅ）は、本実施形態のノイズ除去装置の動作を説明するための波形図である。
【００２４】
図１（ａ）において、このノイズ除去装置１は、受信機内のチューナ（図示略）から出力される受信信号としてのＩＦ信号Ｓ１を入力するゲート部２とノイズ検出部３及び離調周波数検出部４と、ゲート制御部５とを備えて構成されている。
【００２５】
ノイズ検出部３は、ＩＦ信号Ｓ１に例えばイグニッションノイズや落雷ノイズ等のパルスノイズが混入すると、パルスノイズを検出して、該パルスノイズの発生期間τを示すノイズ検出信号Ｓ３を出力する。
【００２６】
離調周波数検出部４は、ＩＦ信号Ｓ１に重畳した隣接妨害信号の周波数Ｆuを検出すると共に、該周波数Ｆuと希望信号の周波数Ｆdとの周波数の差（以下「離調周波数」という）ΔＦを検出し、その離調周波数ΔＦを示す離調周波数検出信号Ｓ４を出力する。
【００２７】
ゲート制御部５は、ノイズ検出信号Ｓ３と離調周波数検出信号Ｓ４とを入力し、離調周波数ΔＦの逆数（１／ΔＦ）の整数ｍ倍の期間であって、パルスノイズの発生期間τに最も近い期間（ｍ／ΔＦ）を演算する。そして、パルスノイズの発生時点ｔから期間（ｍ／ΔＦ）の経過時までをゲート期間τsとする矩形波状のゲート制御信号Ｓ５を出力する。
【００２８】
ゲート部２は、ゲート制御信号Ｓ５によって示されるゲート期間τsにおいて、ＩＦ信号Ｓ１に混入しているパルスノイズの通過を遮断し、ゲート期間τs以外の期間ではＩＦ信号Ｓ１を通過させることにより、パルスノイズを除去したＩＦ信号Ｓ２を出力する。
【００２９】
次に、かかる構成を有するノイズ除去装置１の動作を説明する。 
例えば、図１（ｂ）に示すような、ＩＦ信号Ｓ１に隣接妨害信号が重畳し且つイグニッションノイズその他の比較的周期性を有するパルスノイズが混入した場合、ノイズ検出部３が、同図（ｃ）に示すように、各パルスノイズ毎に発生時点ｔと発生期間τを検出して、矩形波状のノイズ検出信号Ｓ３を出力する。
【００３０】
更に、離調周波数検出部４が、隣接妨害信号の周波数Ｆuを検出すると共に、検出した周波数Ｆuと希望信号の周波数Ｆdとの周波数の差、すなわち離調周波数ΔＦを検出して離調周波数検出信号Ｓ４を出力する。
【００３１】
そして、ゲート制御部５が、各パルスノイズ毎に、発生期間τに最も近い期間であって、離調周波数ΔＦの逆数（１／ΔＦ）の整数ｍ倍の期間（ｍ／ΔＦ）を演算することにより、同図（ｄ）に示すように、各パルスノイズの発生時点ｔから夫々の期間（ｍ／ΔＦ）の経過時までをゲート期間τsとする矩形波状のゲート制御信号Ｓ５を出力する。
【００３２】
例えば、同図（ｃ）に示されている３つの各パルスノイズ毎の発生期間τが、時間の経過順に、１msec、２msec、３msecであったとすると、ゲート制御部５は、１msecのパルスノイズを除去するためのゲート期間τsとして、離調周波数ΔＦの逆数の整数ｍ倍の期間であって１msecに最も近い期間（ｍ／ΔＦ）を演算し、次に、２msecのパルスノイズを除去するためのゲート期間τsとして、離調周波数ΔＦの逆数の整数ｍ倍の期間であって２msecに最も近い期間（ｍ／ΔＦ）を演算し、次に、３msecのパルスノイズを除去するためのゲート期間τsとして、離調周波数ΔＦの逆数の整数ｍ倍の期間であって３msecに最も近い期間（ｍ／ΔＦ）を演算することで、同図（ｄ）に示すような矩形波状のゲート制御信号Ｓ５を出力する。
【００３３】
そして、ゲート部２が、ゲート制御信号Ｓ５に従って夫々のゲート期間τsの間、ＩＦ信号Ｓ１に混入しているパルスノイズの通過を遮断し、ゲート期間τs以外の期間ではＩＦ信号Ｓ１を通過させることにより、パルスノイズを除去したＩＦ信号Ｓ２を出力する。
【００３４】
このノイズ除去装置１によれば、次のような効果が得られる。 
すなわち、隣接妨害信号が重畳し且つパルスノイズが混入したＩＦ信号Ｓ１がゲート部２に入力し、ゲート部２がゲート期間τsにおいてパルスノイズを遮断することで除去すると、ゲート部２から出力されるＩＦ信号Ｓ２の周波数スペクトルは、同図（ｅ）に例示するように、ゲート期間τsにおける遮断特性の周波数スペクトルと、隣接妨害信号が重畳しているＩＦ信号Ｓ１の周波数スペクトルとの積で表される周波数スペクトルとなる。
【００３５】
つまり、遮断特性の周波数スペクトルは、同図（ｄ）に示した矩形波状のゲート制御信号Ｓ２をフーリエ変換したものと同じとなり、周波数（１／τs）の整数ｍ倍の周波数（１／τs，２／τs，３／τs，……）において大幅に減衰する高調波特性を示すこととなる。一方、隣接妨害信号が重畳しているＩＦ信号Ｓ１の周波数スペクトルは、周波数Ｆdの希望波と周波数Ｆuの隣接妨害信号のスペクトルを有することとなる。したがって、ＩＦ信号Ｓ２の周波数スペクトルは、こうした遮断特性の周波数スペクトルと、隣接妨害信号が重畳しているＩＦ信号Ｓ１の周波数スペクトルとの積で表される周波数スペクトルとなり、同図（ｅ）のようになる。
【００３６】
そして、同図（ｅ）に示すように、隣接妨害信号に起因するスプリアスは、周波数Ｆuにおいて発生し、希望信号は周波数｛Ｆu−（１／τs）｝の位置に発生し、更に、ＩＦ信号Ｓ２に含まれる遮断特性による高調波の周波数スペクトルは、周波数｛Ｆu−（１／τs）｝において大幅に減衰する。
【００３７】
したがって、ＩＦ信号Ｓ２中の希望信号は、隣接妨害信号に起因するスプリアスと、遮断特性に起因する高調波との影響を受けなくなることから、ＩＦ信号Ｓ２をＩＦフィルタに通すと、該ＩＦフィルタの選択度を悪化させることなく、且つパルスノイズとスプリアスを含まない希望信号を抽出し、検波器等に供給することができる。
【００３８】
つまり、図１（ｅ）に示す希望信号の周波数｛Ｆu−（１／τs）｝は、隣接妨害信号の周波数Ｆuから離調周波数ΔＦだけ離れた周波数であることから、受信機に設けられているＩＦフィルタの通過帯域Ｆdと同じとなる。このため、ＩＦ信号Ｓ２中の希望信号を抽出するために、特別の通過周波数帯域を有するフィルタ等を本ノイズ除去装置１の後段に接続しなくとも、受信機に設けられている一般的なＩＦフィルタを接続するだけで、選択度を悪化させることなく、且つパルスノイズとスプリアスを含まない希望信号をＩＦ信号Ｓ２から抽出して、検波器等に供給することができる。
【実施例１】
【００３９】
次に、上述の実施形態に係るより詳細な実施例を図２及び図３を参照して説明する。なお、図２は、本実施例のノイズ除去装置を受信機に設けた場合の構成を表したブロック図、図３は、本ノイズ除去装置の動作を説明するための波形図である。また、図２中、図１（ａ）と同一又は相当する部分を同一符号で示している。
【００４０】
図２において、まず受信機の構成を概説すると、受信アンテナＡＮＴが接続されたＲＦアンプ６の出力にＲＦミキサ８が接続されている。そして、ＲＦミキサ８が、ＲＦアンプ６から出力されるＲＦ信号と局部発振器７から出力される局発信号とを混合することにより、周波数変換したＩＦ信号Ｓ１を出力する。
【００４１】
更に、後述するゲート回路２の出力に、ＩＦフィルタ１０とＩＦアンプ１１と検波器１２が直列に接続されている。
【００４２】
次に、本実施例のノイズ除去装置１の構成を、図１（ａ）に示したノイズ除去装置と対比して説明する。
【００４３】
このノイズ除去装置１は、図１に示したゲート部２に相当するゲート回路２と、図１に示したノイズ検出部３に相当するノイズ検出回路３と、図１に示した離調周波数検出部４に相当する離調周波数検出回路４と、図１に示したゲート制御部５に相当するＤフリップフロップ５を備えて構成されており、更に、離調周波数検出回路４は、ＩＦミキサ４ａと、ＩＦ発振器４ｂ、ハイパスフィルタ４ｃ、リミッタアンプ４ｄを備えて構成されている。
【００４４】
遅延回路９は、ノイズ検出回路３と離調周波数検出回路４及びＤフリップフロップ（以下「ＤＦＦ」という）５の内部遅延時間と等しい所定の遅延時間を有し、ＲＦミキサ８から出力されるＩＦ信号Ｓ１を遅延させてゲート回路２に供給することによって、ゲート回路２における後述のパルスノイズ除去処理のタイミングを調整する。
【００４５】
ノイズ検出回路３は、ＩＦ信号Ｓ１に混入しているパルスノイズの発生期間τを検出し、その発生期間τの間だけ論理“Ｈ”となる矩形波状のノイズ検出信号Ｓ３を出力する。
【００４６】
より詳細に述べると、ノイズ検出回路３は、ＩＦ信号Ｓ１を検波する振幅検波器（図示略）と、該振幅検波器の出力信号に含まれている希望信号よりも高周波域のノイズを抽出するハイパスフィルタ（図示略）と、該振幅検波器の出力信号中の高周波域のノイズを平滑化することによって略直流の平滑化信号を生成するローパスフィルタ（図示略）と、平滑化信号を所定の増幅率で増幅する増幅器（図示略）と、増幅された平滑化信号とハイパスフィルタ出力信号との振幅を比較する比較器（図示略）とを備えて構成されている。そして、比較器が、増幅された平滑化信号の振幅よりもハイパスフィルタ出力信号の振幅が大きくなる期間をパルスノイズの発生期間τとして検出し、ノイズ検出信号Ｓ３を出力する。
【００４７】
ＩＦ発振器４ｂは、中間周波数と等しい周波数の交番信号ＣＫを出力する発振器によって形成されている。
【００４８】
ＩＦミキサ４ａは、掛け算器で形成されており、ＩＦ信号Ｓ１と交番信号ＣＫとを乗算（混合）することにより、交番信号ＣＫに基づいてＩＦ信号Ｓ１を周波数変換した混合信号ＳIFを生成して出力する。
【００４９】
例えば、隣接妨害信号が重畳しているＩＦ信号Ｓ１がＩＦミキサ４ａに入力すると、ＩＦミキサ４ａは、ＩＦ信号Ｓ１に含まれている上述の希望信号をベースバンドに、隣接妨害信号を離調周波数ΔＦに周波数変換する。そして、その周波数変換後の混合信号ＳIFをハイパスフィルタ４ｃへ供給する。
【００５０】
ハイパスフィルタ４ｃは、混合信号ＳIFに含まれているベースバンドの希望信号よりも高周波域の信号成分を通過させるハイパスフィルタによって形成されている。
【００５１】
リミッタアンプ４ｄは、ハイパスフィルタ４ｃを通過してきた信号を振幅制限することによって、波形整形した２値信号から成る離調周波数検出信号Ｓ４を出力する。
【００５２】
そして、上述の周波数変換された隣接妨害信号を有する混合信号ＳIFがハイパスフィルタ４ｃに入力すると、ハイパスフィルタ４ｃは、上述の離調周波数ΔＦと等しい周波数の隣接妨害信号を通過させて出力し、更にリミッタアンプ４ｄが、その隣接妨害信号を振幅制限することによって、離調周波数ΔＦの逆数の周期（１／ΔＦ）で論理反転する矩形波状の離調周波数検出信号Ｓ４を出力する。
【００５３】
ＤＦＦ５は、入力端子Ｄにノイズ検出信号Ｓ３、クロック入力端子ＣＰに離調周波数検出信号Ｓ４が夫々入力され、出力端子Ｑからゲート制御信号Ｓ５を出力する。
【００５４】
より詳細に述べれば、ＤＦＦ５は、ノイズ検出信号Ｓ３が論理“Ｈ”となっている上述の発生期間τにおいて、上述の周期（１／ΔＦ）で論理反転する離調周波数検出信号Ｓ４が入力されると、周期（１／ΔＦ）の整数ｍ倍の期間であって、上述の発生期間τよりも長く且つ最も近い期間（すなわち、ゲート期間）τsの間、連続して論理“Ｈ”となる矩形波状のゲート制御信号Ｓ５を出力する。
【００５５】
ゲート回路２は、ゲート制御信号Ｓ５が論理“Ｈ”となっているゲート期間τsでは、遅延回路９から供給されるＩＦ信号Ｓaの通過を遮断し、ゲート期間τs以外の期間、すなわちゲート制御信号Ｓ５が論理“Ｌ”となっている期間では、ＩＦ信号Ｓaを通過させるアナログスイッチ等のスイッチ素子で形成されている。
【００５６】
したがって、パルスノイズが混入しているＩＦ信号Ｓaがゲート回路２に入力すると、そのパルスノイズの発生期間τに同期しているゲート期間τsにおいて、ゲート回路２がゲート制御信号Ｓ５に従ってパルスノイズの通過を遮断することにより、パルスノイズを除去したＩＦ信号Ｓ２をＩＦフィルタ１０へ出力する。
【００５７】
次に、かかる構成を有する本実施例のノイズ除去装置１の動作例を、図３を参照して説明する。
【００５８】
例えば、図３（ａ）に示すような隣接妨害信号が重畳し且つパルスノイズが混入したＩＦ信号Ｓ１がＲＦミキサ８から出力されると、ノイズ検出部３が各パルスノイズ毎の発生時点と発生期間τを検出し、同図（ｂ）に示すような矩形波状のノイズ検出信号Ｓ３を生成して、ＤＦＦ５の入力端子Ｄに供給する。
【００５９】
更に、ＩＦミキサ４ａがＩＦ信号Ｓ１とＩＦ発振器４ｂから出力される交番信号ＣＫとを混合することによって、周波数変換した混合信号ＳIFを出力すると共に、該混合信号ＳIFがハイパスフィルタ４ｃとリミッタアンプ４ｄを通過することにより、同図（ｃ）に示すような矩形波状の離調周波数検出信号Ｓ４が生成されてＤＦＦ５のクロック入力端子ＣＰに入力する。
【００６０】
そして、ＤＦＦ５が、ノイズ検出信号Ｓ３と離調周波数検出信号Ｓ４とに基づいて、同図（ｄ）に示すようなゲート制御信号Ｓ５を生成し、出力端子Ｑを介してゲート回路２へ供給する。
【００６１】
すなわち、ＤＦＦ５は、ＩＦ信号Ｓ１に混入している各パルスノイズ毎の発生期間τにおいて論理“Ｈ”となる矩形波状のノイズ検出信号Ｓ３と、離調周波数ΔＦの逆数の周期（１／ΔＦ）で論理反転を繰り返す離調周波数検出信号Ｓ４とを入力することによって、いわゆる離調周波数検出信号Ｓ４に基づいてノイズ検出信号Ｓ３を遅延処理することとなり、その結果、周期（１／ΔＦ）の整数ｍ倍の期間であって、上述の発生期間τよりも長く且つ発生期間τに最も近い期間（すなわち、ゲート期間）τsの間、連続して論理“Ｈ”となる矩形波状のゲート制御信号Ｓ５を出力する。
【００６２】
次に、ゲート部２が、ゲート制御信号Ｓ５に従って夫々のゲート期間τsの間、遅延回路９を介して供給されるＩＦ信号Ｓaに混入しているパルスノイズの通過を遮断し、ゲート期間τs以外の期間ではＩＦ信号Ｓ１を通過させることにより、パルスノイズを除去したＩＦ信号Ｓ２を出力する。
【００６３】
そして、希望信号の周波数（別言すれば、中間周波数）を通過帯域とするＩＦフィルタ１０にＩＦ信号Ｓ２が入力されると、ＩＦ信号Ｓ２に含まれている希望信号Ｓｂが抽出され、更に抽出された希望信号ＳｂがＩＦアンプ１１で増幅された信号Ｓｃとなって検波器１２に入力し、検波器１２から検波信号Ｓｄが出力される。
【００６４】
本実施例のノイズ除去装置１によれば、次のような効果が得られる。 
まず、図３（ａ）に示したように、イグニッションノイズその他の比較的周期性を持って生じるパルスノイズがＩＦ信号Ｓ１に混入し、更に、ＩＦ信号Ｓ１に、周波数Ｆdの希望信号よりも離調周波数ΔＦだけ離れた周波数Ｆuの隣接妨害信号が重畳した場合、ＩＦミキサ４ａから出力される混合信号ＳIFの周波数スペクトルは図３（ｅ）、ゲート制御信号Ｓ５に従ってゲート回路２がパルスノイズを遮断する際の遮断特性の周波数スペクトルは同図（ｆ）のようになる。
【００６５】
つまり、混合信号ＳIFの周波数スペクトルでは、希望信号がベースバンドに、隣接妨害信号が離調周波数ΔＦの位置に生じるようになり、遮断特性の周波数スペクトルは、パルスノイズの生じる周期Ｔとゲート期間τsとをパラメータとして変化し、ゲート期間τsの逆数の整数ｎ倍の周波数（ｎ／τs）において大きく減衰する。
【００６６】
このことから、ゲート回路２から出力されるパルスノイズの除去されたＩＦ信号Ｓ２の周波数スペクトルは、同図（ｇ）に例示するように、混合信号ＳIFの周波数スペクトルと遮断特性の周波数スペクトルとの積で表される周波数スペクトルとなり、ＩＦ信号Ｓ２に含まれる隣接妨害信号に起因するスプリアスが周波数Ｆuにおいて発生し、ＩＦ信号Ｓ１に含まれていた周波数Ｆdの希望信号は、ＩＦ信号Ｓ２では周波数｛Ｆu−（１／τs）｝の位置に発生し、更に、ＩＦ信号Ｓ２に含まれる遮断特性による高調波の周波数スペクトルは、周波数｛Ｆu−（１／τs）｝において大幅に減衰する。
【００６７】
したがって、ＩＦ信号Ｓ２中の希望信号は、隣接妨害信号と遮断特性による高調波とスプリアスの影響を受けなくなる。
【００６８】
このように、離調周波数ΔＦの逆数の周期（１／ΔＦ）の整数ｍ倍の期間であって、パルスノイズの発生期間τよりも長く且つ発生期間τに最も近い期間をゲート期間τsとし、該ゲート期間τsをパルスノイズの発生期間τとして近似した結果、同図（ｆ）に示した遮断特性の高調波が大幅に減衰するときの周波数（１／τs）に合わせて、同図（ｅ）に示した希望信号が生じるように、ＩＦ信号Ｓ２の周波数スペクトルを調整することが可能となっている。
【００６９】
このため、ＩＦ信号Ｓ２をＩＦフィルタ１０に供給することによって、選択度を悪化させることなく、且つパルスノイズとスプリアスを含まない希望信号をＩＦ信号Ｓ２から抽出し、検波器１２側へ供給することができる。
【００７０】
また、図３（ｇ）に示す希望信号の周波数｛Ｆu−（１／τs）｝は、隣接妨害信号の周波数Ｆuから離調周波数ΔＦだけ離れた周波数であることから、受信機に設けられているＩＦフィルタ１０の通過帯域Ｆdとなる。このため、ＩＦ信号Ｓ２中の希望信号を抽出するために、特別の通過周波数帯域を有するＩＦフィルタを設ける必要はなく、受信機に設けられている一般的なＩＦフィルタ１０をゲート回路２に接続するだけで、選択度を悪化させることなく、且つパルスノイズとスプリアスを含まない希望信号をＩＦ信号Ｓ２から抽出し、検波器等に供給することができる。
【実施例２】
【００７１】
次に、第２の実施例のノイズ除去装置１を、図４及び図５を参照して説明する。図４は、本実施例のノイズ除去装置を受信機に設けた場合の構成を表したブロック図、図５は、本ノイズ除去装置の動作を説明するための波形図である。また、図４中、図１（ａ）及び図２と同一又は相当する部分を同一符号で示している。
【００７２】
図４において、このノイズ除去装置１は、ゲート回路２と、ノイズ検出回路３、離調周波数検出部４、ＤＦＦ５及び遅延回路９を備えて構成されており、更に、離調周波数検出部４は、ＩＦミキサ４ａと、ＩＦ発振器４ｂ、ハイパスフィルタ４ｃ、リミッタアンプ４ｄの他、隣接妨害信号のＩＦ信号Ｓ１への重畳の有無を検知する検知手段としてのＡＭ検波器４ｅ及び比較器４ｆと、切替え回路４ｇとを備えて構成されている。
【００７３】
つまり、このノイズ除去装置１は、離調周波数検出部４に、ＡＭ検波器４ｅと比較器４ｆと切替え回路４ｇが更に備えられている点で、図２に示したノイズ除去装置と構成上異なった特徴を有している。
【００７４】
ここで、切替え回路４ｇは、比較器４ｆからの切替え制御信号Ｓgに従って切り替え動作する、２入力１出力型のアナログマルチプレクサやアナログスイッチで形成されており、一方の入力端子ａがリミッタアンプ４ｄ、他方の入力端子ｂがＩＦ発振器４ｂに接続され、出力端子ｃがＤＦＦ５のクロック入力端子Ｄに接続されている。そして、入力端子ａ側に切り替わると、リミッタアンプ４ｄから出力される周期（１／ΔＦ）で論理反転する離調周波数検出信号Ｓ４をＤＦＦ５のクロック入力端子Ｄへ転送し、入力端子ｂ側に切り替わると、ＩＦ発振器４ｂから出力される中間周波数と同じ周波数の交番信号ＣＫをＤＦＦ５のクロック入力端子Ｄへ転送する。
【００７５】
ＡＭ検波器４ｅは、ハイパスフィルタ４ｃから出力される隣接妨害信号ＳeをＡＭ検波し、検波後のＡＭ検波信号Ｓfを比較器４fへ出力する。
【００７６】
すなわち、ＩＦミキサ４ａが、隣接妨害信号の重畳したＩＦ信号Ｓ１と交番信号ＣＫとを混合することによって、周波数変換された隣接妨害信号を有する混合信号ＳIFをハイパスフィルタ４ｃ側へ出力すると、ハイパスフィルタ４ｃを通過した隣接妨害信号ＳeがＡＭ検波器４eに入力し、ＡＭ検波器４ｅがその隣接妨害信号ＳeをＡＭ検波することによって、ＡＭ検波信号Ｓfを比較器４fへ出力する。
【００７７】
比較器４ｆは、ＡＭ検波信号Ｓfの振幅を所定の閾値と比較し、比較した結果を切替え制御信号Ｓgとして出力する。そして、ＡＭ検波信号Ｓfの振幅が該閾値より大きいときには、切替え回路４ｇを入力端子ａ側に切替えさせ、ＡＭ検波信号Ｓfの振幅が該閾値より小さいときには、切替え回路４ｇを入力端子ｂ側に切替えさせる。
【００７８】
次に、かかる構成を有するノイズ除去装置１の動作を、図３を参照して説明する。
【００７９】
例えば、図３（ａ）に示した、隣接妨害信号が重畳し且つパルスノイズが混入したＩＦ信号Ｓ１がＲＦミキサ８から出力されると、ノイズ検出部３が各パルスノイズ毎の発生時点と発生期間τを検出し、図３（ｂ）に示すような矩形波状のノイズ検出信号Ｓ３を生成して、ＤＦＦ５の入力端子Ｄに供給する。
【００８０】
更に、ＩＦミキサ４ａがＩＦ信号Ｓ１とＩＦ発振器４ｂから出力される交番信号ＣＫとを混合することによって、周波数変換した混合信号ＳIFを出力すると共に、該混合信号ＳIFがハイパスフィルタ４ｃとリミッタアンプ４ｄを通過することにより、図３（ｃ）に示すような矩形波状の離調周波数検出信号Ｓ４が生成されて、切替え回路４ｇの一方の入力端子ａに供給される。
【００８１】
更に、ＡＭ検波器４ｅが隣接妨害信号ＳｅをＡＭ検波することによってＡＭ検波信号Ｓｆを出力し、比較器４ｆがＡＭ検波信号Ｓｆから切替え制御信号Ｓｇを生成して、切替え回路４ｇを入力端子ａ側へ切替えさせる。したがって、離調周波数検出信号Ｓ４が、切替え回路４ｇの入力端子ａを介して、ＤＦＦ５のクロック入力端子ＣＰに入力する。
【００８２】
そして、ＤＦＦ５が、ノイズ検出信号Ｓ３と離調周波数ΔＦの逆数の周期（１／ΔＦ）で論理反転を繰り返す離調周波数検出信号Ｓ４とを入力することによって、周期（１／ΔＦ）の整数ｍ倍の期間であって、パルスノイズの発生期間τよりも長く且つ発生期間τに最も近い期間（すなわち、ゲート期間）τsの間、連続して論理“Ｈ”となる矩形波状のゲート制御信号Ｓ５を生成し、ゲート回路２に供給する。
【００８３】
次に、ゲート部２が、ゲート制御信号Ｓ５に従って夫々のゲート期間τsの間、遅延回路９を介して供給されるＩＦ信号Ｓaに混入しているパルスノイズの通過を遮断し、ゲート期間τs以外の期間ではＩＦ信号Ｓ１を通過させることにより、パルスノイズを除去したＩＦ信号Ｓ２を出力する。
【００８４】
以上、隣接妨害信号が重畳し且つパルスノイズが混入したＩＦ信号Ｓ１がＲＦミキサ８から出力された場合の動作を説明したが、隣接妨害信号が重畳していない状態で、パルスノイズが混入したＩＦ信号Ｓ１がＲＦミキサ８から出力された場合には、ノイズ除去装置１は次のように動作する。
【００８５】
まず、ノイズ検出部３が各パルスノイズ毎の発生時点と発生期間τを検出し、図３（ｂ）に示すような矩形波状のノイズ検出信号Ｓ３を生成して、ＤＦＦ５の入力端子Ｄに供給する。
【００８６】
更に、ＩＦミキサ４ａがＩＦ信号Ｓ１とＩＦ発振器４ｂから出力される交番信号ＣＫとを混合することによって、周波数変換した混合信号ＳIFを出力する。ただし、ＩＦ信号Ｓ１には隣接妨害信号が重畳していないので、混合信号ＳIFにも隣接妨害信号が含まれておらず、そのため、混合信号ＳIFがハイパスフィルタ４ｃとリミッタアンプ４ｄを通過しても、図３（ｃ）に示したような離調周波数検出信号Ｓ４が切替え回路４ｇの入力端子ａに供給されない。
【００８７】
更に、ハイパスフィルタ４ｃからＡＭ検波器４ｅに入力する信号Ｓｅも隣接妨害信号を有しないため、ＡＭ検波器４ｅから出力されるＡＭ検波信号Ｓｆの振幅が小さくなり、比較器４ｆがＡＭ検波信号Ｓｆと閾値とを比較することによって、切替え回路４ｇを入力端子ｂ側へ切替えさせるための切替え制御信号Ｓｇを出力する。
【００８８】
したがって、ＩＦ信号Ｓ１に隣接妨害信号が重畳していない場合には、ＩＦ発信器４ｂが出力する交番信号ＣＫが、切替え回路４ｇの入力端子ｂを介して、ＤＦＦ５のクロック入力端子ＣＰに入力する。
【００８９】
そして、ＤＦＦ５が、ノイズ検出信号Ｓ３と交番信号ＣＫを入力することで、交番信号ＣＫの周波数の逆数の周期の整数倍の期間であって、パルスノイズの発生期間τよりも長く且つ発生期間τに最も近い期間（すなわち、ゲート期間）τsの間、連続して論理“Ｈ”となる矩形波状のゲート制御信号Ｓ５を生成し、ゲート回路２に供給する。
【００９０】
次に、ゲート部２が、ゲート制御信号Ｓ５に従って夫々のゲート期間τsの間、遅延回路９を介して供給されるＩＦ信号Ｓaに混入しているパルスノイズの通過を遮断し、ゲート期間τs以外の期間ではＩＦ信号Ｓ１を通過させることにより、パルスノイズを除去したＩＦ信号Ｓ２を出力する。
【００９１】
このように、図４に示したノイズ除去装置１では、ＡＭ検波器４ｅと比較器４ｆが、ＩＦ信号Ｓ１に隣接妨害信号が重畳しているか否か検出し、隣接妨害信号がＩＦ信号Ｓ１に重畳しているときには、離調周波数ΔＦの逆数の周期（１／ΔＦ）の整数ｍ倍の期間であって、パルスノイズの発生期間τよりも長く且つ発生期間τに最も近い期間をゲート期間τsとして、ゲート回路２にパルスノイズを遮断させ、隣接妨害信号がＩＦ信号Ｓ１に重畳していないときには、交番信号ＣＫの周波数（中間周波数）の逆数の周期の整数倍の期間であって、パルスノイズの発生期間τよりも長く且つ発生期間τに最も近い期間をゲート期間τsとして、ゲート回路２にパルスノイズを遮断させる。
【００９２】
本実施例のノイズ除去装置１によれば、次のような効果が得られる。 
まず、上述したように、隣接妨害信号の重畳していないＩＦ信号Ｓ１にパルスノイズが混入した場合、ＩＦ信号Ｓ１に隣接妨害信号が重畳していないことをＡＭ検波器４ｅと比較器４ｆが検出すると共に、パルスノイズの発生期間τをノイズ検出回路３が検出する。これにより、ＤＦＦ５の入力端子Ｄには、発生期間τを示すノイズ検出信号Ｓ３、クロック入力端子ＣＰには、中間周波数と同じ周波数の交番信号ＣＫが切替え回路４ｇを介して夫々供給される。そして、ＤＦＦ５が、交番信号ＣＫの周波数の逆数の周期の整数倍の期間であって、パルスノイズの発生期間τよりも長く且つ発生期間τに最も近い期間をゲート期間τsとして、ゲート回路２にパルスノイズを遮断させる。
【００９３】
ここで、交番信号ＣＫは、図５（ａ）の周波数スペクトルで表されるように、中間周波数の位置に生じることとなり、ゲート回路２がパルスノイズを遮断する際の遮断特性の周波数スペクトルは、図５（ｂ）に示すように、周波数（１／τs）の整数倍の周波数において大幅に減衰する。そして、ゲート回路２から出力される、パルスノイズの除去されたＩＦ信号Ｓ２の周波数スペクトルは、交番信号ＣＫの周波数スペクトルと遮断特性の周波数スペクトルとの積で表される周波数スペクトルとなり、図５（ｃ）のようになる。
【００９４】
そして、図５（ｃ）から明らかなとおり、遮断特性による高調波が周波数（１／τs）の整数Ｎ倍の周波数において大幅に減衰し、この高調波の減衰する周波数に合わせて、希望信号が生じる。
【００９５】
したがって、ＩＦ信号Ｓ２中の希望信号は、遮断特性による高調波の影響を受けなくなり、ＩＦ信号Ｓ２をＩＦフィルタ１０に供給することによって、パルスノイズを含まない希望信号をＩＦ信号Ｓ２から抽出し、検波器１２側へ供給することができる。
【００９６】
次に、ＩＦ信号Ｓ１に隣接妨害信号が重畳し且つパルスノイズが混入した場合には、ＩＦ信号Ｓ１に隣接妨害信号が重畳していることをＡＭ検波器４ｅと比較器４ｆが検出すると共に、パルスノイズの発生期間τをノイズ検出回路３が検出する。これにより、ＤＦＦ５の入力端子Ｄには、発生期間τを示すノイズ検出信号Ｓ３、クロック入力端子ＣＰには、離調周波数信号Ｓ４が切替え回路４ｇを介して夫々供給される。そして、ＤＦＦ５が、離調周波数ΔＦの逆数の周期（１／ΔＦ）の整数ｍ倍の期間であって、パルスノイズの発生期間τよりも長く且つ発生期間τに最も近い期間をゲート期間τsとし、該ゲート期間τsをパルスノイズの発生期間τとして近似したゲート制御信号Ｓ５によってゲート回路２を制御することにより、パルスノイズの除去を行わせる。
【００９７】
したがって、ゲート回路２から出力されるＩＦ信号Ｓ２の周波数スペクトルは、図３（ｇ）に示したのと同様となり、ＩＦ信号Ｓ２中の希望信号は、隣接妨害信号と遮断特性による高調波とスプリアスの影響を受けなくなり、ＩＦ信号Ｓ２をＩＦフィルタ１０に供給することによって、選択度を悪化させることなく且つパルスノイズとスプリアスを含まない希望信号をＩＦ信号Ｓ２から抽出し、検波器１２側へ供給することができる。
【００９８】
このように、本実施例のノイズ除去装置１によれば、隣接妨害信号が重畳したＩＦ信号Ｓ１にパルスノイズが混入した場合と、ＩＦ信号Ｓ１に隣接妨害信号が重畳し且つパルスノイズが混入した場合との何れの場合であっても、パルスノイズを除去することができると共に、選択度を悪化させることなく希望信号をＩＦ信号Ｓ２から抽出し、検波器１２側へ供給することができる。
【００９９】
更に、隣接妨害信号の重畳していないＩＦ信号Ｓ１に混入したパルスノイズを除去する際、交番信号ＣＫの周波数の逆数の周期の整数倍の期間であって、パルスノイズの発生期間τよりも長く且つ発生期間τに最も近い期間をゲート期間τsとして、ゲート回路２にパルスノイズを遮断させるようにしたため、図５（ｃ）に示した遮断特性の高調波が大幅に減衰する周波数を、希望信号の周波数に一致させることができる。このため、パルスノイズを除去する際の遮断特性の影響を与えることなく希望信号を良好に抽出して検波器等へ供給することができる。
【実施例３】
【０１００】
次に、第３の実施例のノイズ除去装置１を、図６を参照して説明する。図６は、本実施例のノイズ除去装置を受信機に設けた場合の構成を表したブロック図であり、図１（ａ）と図２及び図４と同一又は相当する部分を同一符号で示している。
【０１０１】
図６において、このノイズ除去装置１は、局部発振器７とＲＦミキサ８との間に介在するゲート回路２と、ＲＦアンプ６とＲＦミキサ８との間に介在する遅延回路９と、ノイズ検出回路３と、離調周波数検出回路４及びＤＦＦ５を備えて構成され、更に、離調周波数検出回路４は、ＩＦ発振器４ｂと、第１，第２のミキサ４ｈ，４ｉと、ハイパスフィルタ４ｃ、リミッタアンプ４ｄを備えて構成されている。
【０１０２】
ゲート回路２は、ＤＦＦ５から供給されるゲート制御信号Ｓ５に従って、ゲート期間τsの間ではオン、ゲート期間τs以外の期間ではオフとなるアナログスイッチ等で形成されている。そして、ゲート期間τsの間では、局部発振器７から出力される局発信号ＬＯをＲＦミキサ８に供給し、ゲート期間τs以外の期間では、局発信号ＬＯのＲＦミキサ８への供給を停止する。
【０１０３】
遅延回路９は、第１，第２の実施例と同様に、タイミング調整のために設けられ、ＲＦアンプ６から出力される受信信号としてのＲＦ信号ＳRFを所定の時間遅延させてＲＦミキサ８に供給する。
【０１０４】
したがって、ＲＦミキサ８は、遅延回路９を介して供給されるＲＦ信号ＳRFと、ゲート回路２を介して供給される局発信号ＬＯとを混合することにより、高周波のＲＦ信号ＳRFを中間周波信号Ｓ２に周波数変換して、ＩＦフィルタ１０に供給する。
【０１０５】
ノイズ検出回路３は、ＲＦ信号ＳRFに混入したパルスノイズを検出し、該パルスの発生期間τの間で論理“Ｈ”となる矩形波状のノイズ検出信号Ｓ３をＤＦＦ５の入力端子Ｄに供給する。
【０１０６】
ＩＦ発振器４ｂは、中間周波数と同じ周波数の交番信号ＣＫを出力し、第１のミキサ４ｈに供給する。
【０１０７】
第１のミキサ４ｈは、掛け算器によって形成されており、局部発振器７からの局発信号ＬＯと交番信号ＣＫとを乗算（混合）した信号（以下「第１の混合信号」という）Ｓm1を生成して、第２のミキサ４ｉに供給する。
【０１０８】
第２のミキサ４ｉは、掛け算器によって形成されており、ＲＦ信号ＳRFと第１の混合信号Ｓm1とを乗算（混合）した信号（以下「第２の混合信号」という）Ｓm2を生成して、ハイパスフィルタ４ｃに供給する。
【０１０９】
ここで、第１のミキサ４ｈが、局発信号ＬＯと交番信号ＣＫとを乗算（混合）すると、希望信号の周波数Ｆdを有する第１の混合信号Ｓm1が生成される。そして、第２のミキサ４ｉが、ＲＦ信号ＳRFと第１の混合信号Ｓm1とを乗算（混合）すると、ＲＦ信号ＳRFに重畳している隣接妨害信号の周波数Ｆuと希望信号の周波数Ｆdとの周波数の差（Ｆu−Ｆd）、すなわち離調周波数ΔＦを有する信号が第２の混合信号Ｓm2に現れることとなる。
【０１１０】
ハイパスフィルタ４ｃは、第２の混合信号Ｓm2に含まれている、上述の離調周波数ΔＦを有する信号を通過させるカットオフ周波数を有し、通過した離調周波数ΔＦを有する信号をリミッタアンプ４ｄに供給する。
【０１１１】
リミッタアンプ４ｄは、ハイパスフィルタ４ｃを通過してきた上述の離調周波数ΔＦを有する信号を振幅制限することによって、波形整形した２値信号から成る離調周波数検出信号Ｓ４を出力する。すなわち、リミッタアンプ４ｄは、離調周波数ΔＦの逆数の周期（１／ΔＦ）で論理反転を繰り返す離調周波数検出信号Ｓ４を生成し、ＤＦＦ５のクロック入力端子ＣＰに供給する。
【０１１２】
ＤＦＦ５は、ノイズ検出回路３から出力される、パルスノイズの発生期間τを示すノイズ検出信号Ｓ３と、リミッタアンプ４ｄからの離調周波数検出信号Ｓ４とを入力し、いわゆる離調周波数検出信号Ｓ４に基づいてノイズ検出信号Ｓ３を遅延処理することによって、離調周波数ΔＦの逆数の周期（１／ΔＦ）の整数ｍ倍の期間であって、上述の発生期間τよりも長く且つ発生期間τに最も近い期間（すなわち、ゲート期間）τsの間、連続して論理“Ｈ”となる矩形波状のゲート制御信号Ｓ５を出力する。
【０１１３】
したがって、ＤＦＦ５は、ＲＦ信号ＳRFに混入したパルスノイズの発生期間τに近似したゲート期間τsにおいてゲート回路２をオフにし、局発信号ＬＯのＲＦミキサ８への供給を停止させ、一方、ゲート期間τs以外の期間では、ゲート回路２をオンにして、局発信号ＬＯのＲＦミキサ８への供給を行わせる。
【０１１４】
かかる構成を有する本実施例のノイズ除去装置１によれば、ＲＦ信号ＳRFに隣接妨害信号が重畳し且つパルスノイズが混入した場合、ノイズ検出回路３がパルスノイズの発生期間τを検出してノイズ検出信号Ｓ３を出力し、離調周波数検出回路４が離調周波数ΔＦを検出して離調周波数検出信号Ｓ４を出力し、ＤＦＦ５がパルスノイズの発生期間τに近似したゲート期間τsの間でゲート回路２をオフにするゲート制御信号Ｓ５を出力する。
【０１１５】
したがって、ゲート期間τsの間でゲート回路２がオフとなると、ＲＦミキサ８は、遅延回路９を介して供給されるＲＦ信号ＳRFに混入しているパルスノイズと局発信号ＬＯとを混合しなくなり、パルスノイズを除去したＩＦ信号Ｓ２を出力する。
【０１１６】
更に、ゲート期間τsは、離調周波数ΔＦの逆数の周期（１／ΔＦ）の整数ｍ倍の期間であって、上述の発生期間τよりも長く且つ発生期間τに最も近い期間であることから、ゲート回路２がオフとなって局発信号ＬＯのＲＦミキサ８への供給を遮断する際の遮断特性の周波数スペクトルが大幅に減衰するときの周波数と、ＩＦ信号Ｓ２中の希望信号の周波数とが一致することとなる。このため、ＩＦ信号Ｓ２中の希望信号は、隣接妨害信号に起因するスプリアスと、ゲート回路２における遮断特性に起因する高調波との影響を受けなくなることから、ＩＦ信号Ｓ２をＩＦフィルタに通すと、該ＩＦフィルタ１０の選択度を悪化させることなく、且つパルスノイズとスプリアスを含まない希望信号を抽出し、検波器等に供給することができる。
【図面の簡単な説明】
【０１１７】
【図１】発明の実施形態に係るノイズ除去装置の構成を表したブロック図、及びノイズ除去装置の動作を説明するための図である。
【図２】図１に示した実施形態に係るより詳細な実施例のノイズ除去装置の構成を表したブロック図である。
【図３】図１に示したノイズ除去装置の動作を説明するための図である。
【図４】第２の実施例のノイズ除去装置の構成を表したブロック図である。
【図５】図４に示したノイズ除去装置の動作を説明するための図である。
【図６】第３の実施例のノイズ除去装置の構成を表したブロック図である。
【図７】従来のノイズ除去装置の構成を表したブロック図である。
【図８】従来のノイズ除去装置の動作を説明するための図である。
【符号の説明】
【０１１８】
５…ノイズ除去装置
７，１３…ホールド回路
８，１４…ホールド期間制御部
９…ノイズ量検出部
９ａ…ハイパスフィルタ
９ｂ…絶対値回路
９ｃ…ローパスフィルタ
１０，１６…比較部
１０ａ，１６ａ…減算器
１１，１７…ホールド期間調整部
１５…ノイズ抽出部
１５ａ…減算器
１６ａ…絶対値回路
【図１】
2005204037.tif 000003
【図２】
2005204037.tif 000004
【図３】
2005204037.tif 000005
【図４】
2005204037.tif 000006
【図５】
2005204037.tif 000007
【図６】
2005204037.tif 000008
【図７】
2005204037.tif 000009
【図８】
2005204037.tif 000010